(57)【要約】【課題】不正又は不正確に分解されることを防止できる電子装置を提供すること。【解決手段】本発明に係る電子装置は、第一カバーと、第一カバーと互いに係合して閉鎖空間を形成する第二カバーと、この閉鎖空間の中に収容されるロッキングアセンブリと、を備える。前記ロッキングアセンブリは、第一カバーに固定される第一ロック部品及び第二カバーに移動可能な状態で装着される第二ロック部品を備え、第一ロック部品と第二ロック部品とが互いに係合することで、第一カバー及び第二カバーは一体にロックされ、第二カバーには多数の貫通孔が設けられ、第二ロック部品の前記貫通孔に対応する位置には抵抗部が設けられ、前記貫通孔にリムーバーを通して、第二カバー内の前記抵抗部を押し進めると、第二ロック部品は、第一ロック部品から離れる方向へ移動して、第一ロック部品との係合を解除する。【選択図】図３
2013115432.tif 000002
【特許請求の範囲】
【請求項１】
第一カバーと、前記第一カバーと互いに係合して閉鎖空間を形成する第二カバーと、この前記閉鎖空間の中に収容されるロッキングアセンブリと、を備える電子装置であって、前記ロッキングアセンブリは、前記第一カバーに固定される第一ロック部品及び第二カバーに移動可能な状態で装着される第二ロック部品を備え、前記第一ロック部品と前記第二ロック部品とが互いに係合することで、前記第一カバー及び前記第二カバーは一体にロックされ、前記第二カバーには多数の貫通孔が設けられ、前記第二ロック部品の前記貫通孔に対応する位置には抵抗部が設けられ、前記貫通孔にリムーバーを貫通させて、前記第二カバー内の前記抵抗部を押し進めると、前記第二ロック部品は、前記第一ロック部品から離れる方向へ移動して、前記第一ロック部品との係合を解除することを特徴とする電子装置。
【請求項２】
前記電子装置は、オーディオ放送装置であり、前記貫通孔は、音声を前記オーディオ放送装置の外部へ伝播させるか又は外部の音声を採集するための音響孔であることを特徴とする請求項１に記載の電子装置。
【請求項３】
前記ロッキングアセンブリは、前記第二カバーに設けられる第一弾性部材をさらに備え、前記第一弾性部材は、前記第二ロック部品が移動する経路に設置されて、前記第二ロック部品に元の位置に復帰させるための弾性力を提供したり、前記第一ロック部品と前記第二ロック部品とが互いに係合する際に、前記第二ロック部品に当接されて、前記第二ロック部品を前記第一ロック部品に確実に係合させるための保持力を提供したりすることを特徴とする請求項２に記載の電子装置。
【請求項４】
前記ロッキングアセンブリは、前記第二カバーに設けられる台板をさらに備え、前記第二ロック部品は、前記台板に移動可能な状態で装着され、前記第一弾性部材は、前記第二ロック部品の前記抵抗部の反対側の面に当接されることを特徴とする請求項３に記載の電子装置。
【請求項５】
前記ロッキングアセンブリは、前記台板に設けられる第二弾性部材をさらに備え、前記第二ロック部品は、前記第二弾性部材に固定され、且つリムーバーにより押し進められて前記第二ロック部品と共に、前記第一ロック部品から離れる方向へ移動することで、前記第一ロック部品との係合を解除することを特徴とする請求項４に記載の電子装置。
【請求項６】
前記台板の一端には第一連接部が設けられ、前記第二ロック部品の、前記第一連接部に対応する位置には第二連接部が設けられ、前記第二連接部は、枢着軸を介して前記第一連接部に回転可能な状態で連接されるので、前記第二ロック部品は、前記リムーバーにより押し進められると、前記第一ロック部品から離れる方向へ回転すると共に、前記第一弾性部材を圧縮してそれを弾性変形させることを特徴とする請求項５に記載の電子装置。
【請求項７】
前記台板には、装着部がさらに設けられ、前記第一弾性部材は、前記装着部と前記第二ロック部品との間に装着され、前記装着部の一端にはスライドレールが設けられ、前記第二ロック部品にはスライド部が設けられ、前記第二ロック部品は、前記リムーバーにより押し進められると、前記スライドレールに沿って前記第一ロック部品から離れる方向へスライドして、前記第一ロック部品との係合を解除すると共に、前記第一弾性部材を圧縮してそれを弾性変形させることを特徴とする請求項４に記載の電子装置。
【請求項８】
前記装着部の前記スライドレールに相反する一端には、スライド溝が設けられ、前記第二ロック部品には、第三連接部が設けられ、前記第三連接部は、固定軸を介して前記装着部にスライド可能に装着され、且つ前記リムーバーにより押し進められると、前記スライド溝に沿って前記第一ロック部品から離れる方向へスライドすることができることを特徴とする請求項７に記載の電子装置。
【発明の詳細な説明】
【技術分野】
【０００１】
本発明は、電子装置に関し、特にロッキングアセンブリを有する電子装置に関するものである。
【背景技術】
【０００２】
電子装置の急速な発展に伴って、電子装置の機能に対するユーザーの要求は、益々高くなっている。ユーザーの様々な要求を満たすために、各メーカーは絶えず新製品を発表している。しかし、一部の会社は、不正な手段を用いて、ライバル会社が生産した製品を分解して、役に立つ情報を獲得して、自社製品の改善或いは更新を行う。これにより、イノベーションに注力している会社の利益を大きく損ね、公平な競争に反することになる。しかも、不正確な方法で電子装置を分解すると、電子装置を損傷する恐れがある。
【発明の概要】
【発明が解決しようとする課題】
【０００３】
本発明は、上記の問題点に鑑みてなされたものであって、不正な手段又は不正確に分解されることを防止できる電子装置を提供することを目的とする。
【課題を解決するための手段】
【０００４】
上記の目的を達成するために、本発明に係る電子装置は、第一カバーと、第一カバーと互いに係合して閉鎖空間を形成する第二カバーと、この閉鎖空間の中に収容されるロッキングアセンブリと、を備える。前記ロッキングアセンブリは、第一カバーに固定される第一ロック部品及び第二カバーに移動可能な状態で装着される第二ロック部品を備え、第一ロック部品と第二ロック部品とが互いに係合することで、第一カバー及び第二カバーは一体にロックされ、第二カバーには多数の貫通孔が設けられ、第二ロック部品の前記貫通孔に対応する位置には抵抗部が設けられ、前記貫通孔にリムーバーを貫通させて、第二カバー内の前記抵抗部を押し進めると、第二ロック部品は、第一ロック部品から離れる方向へ移動して、第一ロック部品との係合を解除する。
【発明の効果】
【０００５】
従来の技術と異なり、本発明は、電子装置の第一カバーと第二カバーとの間にロッキングアセンブリを設けて、ユーザーは、付属するリムーバーを用いて、第二カバーに設けられた第二ロック部品の抵抗部に対応する貫通孔を通して、該抵抗部を押し進めることで、第一ロック部品と第二ロック部品との係合状態を解除し、第一カバーと第二カバーを互いに分離できるので、ライバルが不正な手段又は消費者が不正確な方法で電子装置を分解することを防止することができる。
【図面の簡単な説明】
【０００６】
【図１】本発明の第一実施形態に係る電子装置の斜視図である。
【図２】図１に示した電子装置の分解図である。
【図３】図２に示した電子装置の一部の部品の組立図である。
【図４】図２に示した電子装置のロッキングアセンブリの組立図である。
【図５】本発明の第二実施形態に係る電子装置のロッキングアセンブリの分解図である。
【図６】本発明の第三実施形態に係る電子装置のロッキングアセンブリの分解図である。
【図７】本発明の第四実施形態に係る電子装置のロッキングアセンブリの分解図である。
【図８】図７に示したロッキングアセンブリを別の視点から見た分解図である。
【図９】図８に示したロッキングアセンブリの局所的な部分の組立図である。
【発明を実施するための形態】
【０００７】
図１及び図２に示すように、本発明の実施形態に係る電子装置１００は、オーディオ放送装置等であり、上部カバー１０と、上部カバー１０に接続される下部カバー２０と、音響モジュール３０と、ロッキングアセンブリ４０と、を備える。上部カバー１０及び下部カバー２０は、上下に対向して配置されて閉鎖空間（図示せず）を形成する。音響モジュール３０及びロッキングアセンブリ４０は、全て前記閉鎖空間の内部に収納される。音響モジュール３０は、音声の発生又は採集のために用いられる。ロッキングアセンブリ４０は、上部カバー１０及び下部カバー２０を一体にロックするために用いられる。上部カバー１０を下部カバー２０から分離する必要があれば、リムーバー２００で両者のロック関係を解除する。リムーバー２００は、円柱形の棒体であり、その形状は音響孔２０３０の形状にマッチングしている。
【０００８】
上部カバー１０は、ほぼ矩形を呈する。下部カバー２０は、矩形の底板２０１、並びに底板２０１の四つの周縁から上に向かって垂直に延在する第一側壁２０３、第二側壁（図示せず）、第三側壁２０５、及び第四側壁２０７を備える。第一側壁２０３及び第二側壁は互いに平行に配され、第三側壁２０５及び第四側壁２０７は互いに平行に配される。第一側壁２０３、第三側壁２０５、第二側壁及び第四側壁２０７は、順次に連接されている。
【０００９】
第一側壁２０３には、第一側壁２０３を貫通する複数の音響孔２０３０が設けられている。音響モジュール３０が発生する音声は、音響孔２０３０から外へ伝播される。音響モジュール３０は、音響孔２０３０を介して外部の音声を採集する。
【００１０】
図３に示すように、第一側壁２０３の第二側壁に対面する内面には、細長い網片２０９が設けられている。網片２０９は、両面テープ及び接着のり等により、第一側壁２０３の内面に貼り付けられ、且つ音響孔２０３０を遮蔽している。網片２０９の中部には、２つの方形の受圧部２０９０が設けられている。２つの受圧部２０９０は、第一側壁２０３上の音響孔２０３０の一部に対応し、且つ外力を受けると、押し退けられる。
【００１１】
音響モジュール３０は、底板２０１に設けられ、且つ互いに連接される第一音響モジュール３０１及び第二音響モジュール３０３を備える。第一音響モジュール３０１は、ラッパ音響モジュールであり、音声を発生する。第二音響モジュール３０３は、マイク音響モジュールであり、音声を採集する。
【００１２】
第一音響モジュール３０１は、主体部３０１０及び凸部３０１２を備える。主体部３０１０は、略直方体であり、第一側壁２０３に平行して設けられる。凸部３０１２は、主体部３０１０の一端の側面から第一側壁２０３に向かって垂直に伸びる。第二音響モジュール３０３は、主体部３０１０の他端に連接される。第二音響モジュール３０３の一端が凸部３０１２のように主体部３０１０の側面から突出するので、主体部３０１０の長手方向に沿う片側には、凹状の収容空間３０５が形成される。
【００１３】
ロッキングアセンブリ４０は、２つの第一ロック部品４１、２つの台板４３、２つの第二ロック部品４５及び第一弾性部材４７を備える。２つの第一ロック部品４１は、上部カバー１０に間隔を開けて設けられる。２つの台板４３は、底板２０１に間隔を開けて設けられ、且つ音響モジュール３０と第一側壁２０３との間に位置する。２つの第二ロック部品４５は、２つの台板４３にそれぞれ回転可能な状態で連接され、且つ２つの第一ロック部品４１にそれぞれ対応する。第一弾性部材４７は、音響モジュール３０に固定され、且つ２つの第二ロック部品４５と互いに当接する。
【００１４】
各々の第一ロック部品４１は、固定部４１０及び固定部４１０に連接される係合フック４１２を備える。固定部４１０は、ボルト等のロック部品を介して上部カバー１０に固定される。係合フック４１２は、固定部４１０の側辺から下部カバー２０へ伸びる。
【００１５】
各々の台板４３は、長尺な板体であるベース部４３０と、ベース部４３０に連接される第一連接部４３２を備える。ベース部４３０の一端は、第一固定部品４３４を介して底板２０１に固定される。第一連接部４３２は、ベース部４３０の他端に位置し、ベース部４３０の上面に突出する中空円筒体であり、且つその自身を貫通する第一枢着孔４３２１を備える。
【００１６】
各々の第二ロック部品４５は、本体４５０と、第二連接部４５２と、抵抗部４５４と、を備える。第二連接部４５２及び抵抗部４５４は、本体４５０の相反する両端にそれぞれ設けられる。本体４５０の台板４３に向いた表面は、傾斜して、第一ロック部品４１と組み合わせるガイド面４５０１を形成する。第二連接部４５２は、円筒状であり、本体４５０のガイド面４５０１が存在する側に設けられ、且つその上には第二枢着孔４５２１が設けられている。第二連接部４５２は、シャフト４５６を介して第一連接部４３２に対して、回転可能に連接される。抵抗部４５４は、直方体であり、第二連接部４５２と本体４５０の同側に位置する。
【００１７】
第一弾性部材４７は、メインアーム４７０及びメインアーム４７０の両端に連接されるサブアーム４７２を備える。メインアーム４７０は、長尺な形状であり、第二固定部品４７４を介して第一音響モジュール３０１の主体部３０１０に固定される。サブアーム４７２は、メインアーム４７０の両端から略「Ｖ」字状に湾曲されて形成される。サブアーム４７２の凸部は、第二ロック部品４５に当接して、第二ロック部品４５に弾性復元力を提供する。また、サブアーム４７２の凸部は、第一ロック部品４１と第二ロック部品４５とが互いに係合する際に、第二ロック部品４５に当接されて、第二ロック部品４５を第一ロック部品４１に確実に係合させるための保持力を提供する。
【００１８】
図３に併せて参照すると、組み立てる場合、先ず、網片２０９を第一側壁２０３の内面に接着して、網片２０９の受圧部２０９０を第一側壁２０３上の音響孔２０３０に対応させる。次に、２つの第一ロック部品４１を上部カバー１０の第一側壁２０３と連接する一端に装着し、第一音響モジュール３０１及び第二音響モジュール３０３を第一側壁２０３の近くの底板２０１に設置する。その後、２つの第一連接部４３２を隣り合わせるように、２つの台板４３を収容空間３０５に対応して固定する。次に、第二ロック部品４５の第二連接部４５２上の第二枢着孔４５２１と、台板４３の第一連接部４３２上の第一枢着孔４３２１との位置を合わせてから、シャフト４５６を第一枢着孔４３２１及び第二枢着孔４５２１に貫通させることによって、第二ロック部品４５を台板４３に回転可能な状態で連接し、且つガイド面４５０１を第一側壁２０３に向けさせる。次に、第二ロック部品４５の抵抗部４５４を網片２０９の受圧部２０９０に対面させ、第二固定部品４７４を介して第一弾性部材４７のメインアーム４７０を第一音響モジュール３０１の主体部３０１０に固定し、且つサブアーム４７２を第二ロック部品４５の第一音響モジュール３０１に向かう側面に当接させる。
【００１９】
図４に併せて参照すると、上部カバー１０が外力により下部カバー２０に被せられる時に、第一ロック部品４１の係合フック４１２は、第二ロック部品４５のガイド面４５０１により導かれて本体４５０と互いに係合して、上部カバー１０及び下部カバー２０を一体にロックする。
【００２０】
一方、上部カバー１０と下部カバー２０とを開く場合、リムーバー２００を下部カバー２０の第一側壁２０３における受圧部２０９０に対応する音響孔２０３０に貫通させ、押すことで、受圧部２０９０を押し退ける。この際、リムーバー２００は、網片２０９を介して、第二ロック部品４５の抵抗部４５４に当止される。続けてリムーバー２００に推力を加えると、第二ロック部品４５はリムーバー２００の作用下でシャフト４５６を中心として、第一ロック部品４１から離れる方向へ回転する。これにより、第二ロック部品４５の本体４５０は、第一ロック部品４１の係合フック４１２から離脱し、第一弾性部材４７は圧縮される。第一ロック部品４１と第二ロック部品４５との係合が完全に解除された後、上部カバー１０と下部カバー２０とは互いに分離する。
【００２１】
以下、本発明の第二実施形態、第三実施形態及び第四実施形態に係る電子装置について具体的に説明する。第二実施形態、第三実施形態及び第四実施形態に関して、第一実施形態と異なるところは、ロッキングアセンブリの具体的な構造であり、その他の構成については上記第一実施形態と同じであるため、同じ構成については、同一符号を付し、構造、作用及び効果の説明は省略する。
【００２２】
図５に示すように、本発明の第二実施形態に係るロッキングアセンブリ４０ａに関して、第一実施形態と異なるのは、ロッキングアセンブリ４０ａの台板４３ａには、第一連接部４３２の構造が省略され、第二ロック部品４５ａの第一連接部４３２に対応する位置には、第二連接部４５２の構造が省略された点である。さらに、第一弾性部材４７は、２つの互いに独立した第一弾性部材４７ａにより取って代わられる。各々の第一弾性部材４７ａは、台板４３ａの一方側に一体に成形された「Ｕ」字形の弾性アームであり、且つ第一弾性アーム４７０ａ及び第一弾性アーム４７０ａの上端に連接し且つ一定の角度に湾曲される第二弾性アーム４７２ａを備える。第一弾性アーム４７０ａは、台板４３ａの外面に密着するように連接され、第二弾性アーム４７２ａの第一弾性アーム４７０ａから離隔する一端は、第一音響モジュール３０１の主体部３０１０に連接される。第二ロック部品４５ａは、第一弾性アーム４７０ａの外面に溶接され、且つ外力により第一弾性部材４７ａを伴って台板４３ａを遠ざかる方向へ移動して、第一ロック部品４１との係合を解除する。
【００２３】
図６に示すように、本発明の第三実施形態に係るロッキングアセンブリ４０ｂに関して、第一実施形態と異なるのは、ロッキングアセンブリ４０ｂの台板４３ｂには、第一連接部４３２の構造が省略され、第二ロック部品４５ｂの第一連接部４３２に対応する位置には、第二連接部４５２の構造が省略された点である。これと同時に、台板４３ｂの第一弾性部材４７に近接する側辺には、第二弾性部材４７ｂが設けられている。第二弾性部材４７ｂは、略矩形の板体であり、台板４３ｂに一体に成形される弾性アームである。また、第一弾性部材４７のサブアーム４７２の凸部は、第二弾性部材４７ｂの台板４３ｂから離れる側の面に当接される。第二ロック部品４５ｂは、第二弾性部材４７ｂの台板４３ｂに近接する側の面に溶接され、且つ外力により第一弾性部材４７及び第二弾性部材４７ｂと共に、台板４３ｂを遠ざかる方向へ移動して、第一ロック部材４１との係合を解除する。
【００２４】
図７及び図８に示すように、本発明の第四実施形態に係るロッキングアセンブリ４０ｃに関して、第一実施形態と異なるのは、ロッキングアセンブリ４０ｃの台板４３ｃには第一連接部４３２の構造が省略され、台板４３ｃの中間部には装着部４４が突設されており、第二ロック部品４５ｃの第一連接部４３２に対応する位置には、第二連接部４５２の構造が省略され、且つ第二ロック部品４５ｃの本体４５０におけるガイド面４５０１に背離する面には、第三連接部４５７、固定部４５８及びスライド部４５９が順次に設けられている点である。
【００２５】
各々の装着部４４は、第一装着板４４１及び第一装着板４４１に連接される２つの第二装着板４４３を備える。第一装着板４４１は、略矩形の板体であり、台板４３ｃの一方側から台板４３ｃに直交して伸びる。２つの第二装着板４４３は、第一装着板４４１の対向する２つの側辺から、第一装着板４４１に直交して伸びる。第一装着板４４１の第二装着板４４３に向かう表面には、円形の凹陥部４４１０が設けられている。第二装着板４４３には、スライド溝４４３０、凹状切欠部４４３２及びスライドレール４４３４が設けられている。スライド溝４４３０は、ほぼ楕円状を呈し、台板４３ｃに近接して設けられる。凹状切欠部４４３２は、第二装着板４４３の第一装着板４４１に平行している側壁の中間部に設けられる。スライドレール４４３４は、第二装着板４４３の台板４３ｃから遠い側の側壁から凹状に形成される。
【００２６】
第三連接部４５７及びスライド部４５９は、スライド溝４４３０及びスライドレール４４３４にそれぞれ対応する。固定部４５８は、第三連接部４５７とスライド部４５９との間に設けられる。第四実施形態において、第一弾性部材４７は、２つのコイルバネ４７ｃにより取って代わられる。各々のコイルバネ４７ｃは、装着部４４と第二ロック部品４５ｃとの間に装着される。
【００２７】
第三連接部４５７は、円筒状であり、その中央部に固定軸４５７２を貫通させるための軸孔４５７０が設けられている。この固定軸４５７２は、第三連接部４５７を貫通し、且つ両端が第二装着板４４３の２つのスライド溝４４３０にそれぞれスライド可能な状態で装着される。固定部４５８は、本体４５０の側面から垂直に延伸する円柱体である。スライド部４５９は、ほぼＴ字状を呈し、基部４５９０及び基部４５９０に連接するスライドブロック４５９２を備える。基部４５９０は、本体４５０の上面から垂直に突出している。スライドブロック４５９２は、基部４５９０の頂端に垂直に連接され、且つ本体４５０に平行に配される。
【００２８】
図９に併せて参照すると、ロッキングアセンブリ４０ｃを組み立てる場合、先ず、各々のコイルバネ４７ｃの一端を、固定部４５８を囲むように設置し、各々のコイルバネ４７ｃの他端を第一装着板４４１の凹陥部４４１０内に収容する。次に、スライドブロック４５９２を第二装着板４４３のスライドレール４４３４内に設置し、基部４５９０を２つの第二装着板４４３の間に収容する。次に、第三連接部４５７の軸孔４５７０と第二装着板４４３上のスライド溝４４３０とを位置合わせしてから、固定軸４５７２をスライド溝４４３０及び軸孔４５７０に順次に貫通させて、第二ロック部品４５ｃを装着部４４にスライド可能な状態で装着する。この際、第一ロック部品４１の係合フック４１２は、第二ロック部品４５ｃの本体４５０に係合される。
【００２９】
リムーバー２００が外力により、第二ロック部品４５ｃを押し進める時に、固定軸４５７２とスライドブロック４５９２は、スライド溝４４３０及びスライドレール４４３４に沿ってそれぞれスライドし、本体４５０は凹状切欠部４４３２内に収容される。この際、２つのコイルバネ４７ｃは圧縮され、第二ロック部品４５ｃは第一ロック部品４１から遠ざかる方向へスライドして、第一ロック部品４１との係合を解除する。
【００３０】
上記の各実施形態によれば、本発明は、電子装置の設計上で、ロッキングアセンブリを電子装置の内部の音響モジュールと多数の音響孔を有する側壁との間の空間内に設置する。分解する場合、リムーバーを前記音響孔或いは他の形状の貫通孔に貫通させて、電子装置の内部に挿入し、且つ外力を加えて、リムーバーで前記ロッキングアセンブリの抵抗部を当接した状態で押し進めることによって、第一ロック部品と第二ロック部品との係合状態を解除する。これにより、ライバルが不正な手段又は消費者が不正確な方法で当該電子装置を分解することを防止することができる。
【００３１】
以上、本発明の好ましい実施形態について詳細に説明したが、本発明は前記実施形態に限定されるものではなく、本発明の範囲内で種々の変形又は改良が可能であり、該変形又は改良も、本発明の特許請求の範囲内に含まれるものであることは言うまでもない。
【符号の説明】
【００３２】
１０                上部カバー
２０                下部カバー
３０                音響モジュール
４０，４０ａ，４０ｂ，４０ｃ      ロッキングアセンブリ
４１                第一ロック部品
４３，４３ａ，４３ｂ，４３ｃ      台板
４４                装着部
４５，４５ａ，４５ｂ，４５ｃ      第二ロック部品
４７，４７ａ        第一弾性部材
４７ｂ              第二弾性部材
４７ｃ              コイルバネ
１００              電子装置
２００              リムーバー
２０１              底板
２０３              第一側壁
２０５              第三側壁
２０７              第四側壁
２０９              網片
３０１              第一音響モジュール
３０３              第二音響モジュール
３０５              収容空間
４１０              固定部
４１２              係合フック
４３０              ベース部
４３２              第一連接部
４３４              第一固定部品
４４１              第一装着板
４４３              第二装着板
４５０              本体
４５２              第二連接部
４５４              抵抗部
４５６              シャフト
４５７              第三連接部
４５８              固定部
４５９              スライド部
４７０              メインアーム
４７０ａ            第一弾性アーム
４７２              サブアーム
４７２ａ            第二弾性アーム
４７４              第二固定部品
２０３０            音響孔
２０９０            受圧部
３０１０            主体部
３０１２            凸部
４３２１            第一枢着孔
４４１０            凹陥部
４４３０            スライド溝
４４３２            凹状切欠部
４４３４            スライドレール
４５０１            ガイド面
４５２１            第二枢着孔
４５７０            軸孔
４５７２            固定軸
４５９０            基部
４５９２            スライドブロック
【図１】
2013115432.tif 000003
【図２】
2013115432.tif 000004
【図３】
2013115432.tif 000005
【図４】
2013115432.tif 000006
【図５】
2013115432.tif 000007
【図６】
2013115432.tif 000008
【図７】
2013115432.tif 000009
【図８】
2013115432.tif 000010
【図９】
2013115432.tif 000011